(57)【要約】【課題】  洗濯機の排水ホースを収納することができ、意匠性に優れ、足下の安全性が改善され、清掃が容易となる洗濯機用防水パンを提供することを目的とするものである。【解決手段】  洗濯機１を載置し、洗濯機１の排水を外部に排水するための排水トラップを備える洗濯機用防水パン１０であり、防水パン本体１１の洗濯機載置面１３を概ね床面上とし、防水パン本体１１に床面より低い底部を有する凹陥部１４が設けられ、凹陥部１４の底部に排水トラップ取り付け部分を有する排水口１６が設けられ、凹陥部１４を洗濯機１の幅方向に幅広としてなる。【選択図】  図１
2006249823.tif 000002
【特許請求の範囲】
【請求項１】
洗濯機を載置し、該洗濯機の排水を外部に排水するための排水トラップを備える洗濯機用防水パンにおいて、
防水パン本体の洗濯機載置面を概ね床面上とし、該防水パン本体に床面より低い底部を有する凹陥部が設けられ、該凹陥部の底部に排水トラップ取り付け部分を有する排水口が設けられ、該凹陥部を洗濯機の幅方向に幅広としてなることを特徴とする洗濯機用防水パン。
【請求項２】
前記洗濯機載置面の周縁を、立ち上がる側壁を設けることなく、床面と同一面から湾曲して該洗濯機載置面の厚みより僅かに厚い縁部としたことを特徴とする請求項１に記載の洗濯機用防水パン。
【請求項３】
前記排水口の接続部が概ね水平方向に向う開口端を有し、前記凹陥部内に収納されていることを特徴とする請求項１又は２に記載の洗濯機用防水パン。
【請求項４】
前記凹陥部の開口を塞ぐ収納蓋が設けられ、該収納蓋に漏水排水孔及び洗濯機の排水ホースの挿通孔が設けられていることを特徴とする請求項１，２又は３に記載の洗濯機用防水パン。
【発明の詳細な説明】
【技術分野】
【０００１】
本発明は洗濯機用防水パンに関し、特に洗濯機の排水ホースを収納することができ、意匠性に優れているとともに足下の安全性が改善できるし、清掃が容易となる洗濯機用防水パンに関するものである。
【背景技術】
【０００２】
従来の洗濯機用防水パンは、図６に示したように、洗濯機１からの排水が漏れ出さないように防水パン２が設けられ、防水パン２の載置面の周囲には床面より立ち上がる外周壁３が設けられ、この防水パン２には洗濯機１の排水ホース１ａが差し込まれる排水口４が洗濯機載置面３ａに設けられ、洗濯機載置面３ａと排水トラップ取り付け面とが床面より高い位置に設けられている。洗濯機載置面３ａは種々の容積の洗濯機に対応し得るように比較的広い面積を有するとともに、外周壁３の上部が洗濯機１の底部の高さよりも高い位置となっている（例えば、特許文献１参照）。
【０００３】
また、図７は、従来の洗面ユニット５内の床面５ａに洗濯機１を設置する場合を示した概略斜視図であり、洗濯機１の洗濯槽１ｂに接続された排水ホース１ａを床面５ａに設けられた凹み空間５ｂから挿通されて、洗濯機１の前方に設けられたホースジョイント５ｃに接続される。ホースジョイント５ｃの下部には排水トラップが設けられ、ホースジョイント５ｃの上部はトラップカバー５ｄが覆われている（例えば、特許文献２参照）。
【０００４】
【特許文献１】実開平７−４４５３６号公報（明細書全文，全図）
【特許文献２】特開２０００−１８６３５３号公報（明細書全文，全図）
【発明の開示】
【発明が解決しようとする課題】
【０００５】
図６の洗濯機用防水パンでは、洗濯機載置面３ａと排水口４との高さが等しく、洗濯機１の側面から伸びる排水ホース１ａの先端部が排水口４に差し込まれ、洗濯水の排水が行われる。排水ホース１ａは洗濯機１の側部に雑然と存在することになり、美観上問題があるとともに、蛇腹状の排水ホース１ａに糸屑や埃などの塵芥が付着し掃除がしづらいといった問題があった。また、清掃などのために洗濯機１の載置位置をずらしたりした後、洗濯を行った際、洗濯機１の移動により排水ホース１ａの先端部が排水口４から外れてその先端部が防水パン２から飛び出し、洗濯水の排水時に洗濯水が床面に流れ出すおそれもあった。
【０００６】
また、防水パン２の洗濯機載置面３ａは種々の機種に対応し得るように余裕を持たせたスペースとなっており、洗濯機１の周囲から防水パン２の外周壁３が張り出し、この張り出し部分に埃や糸屑といった塵芥が付着して掃除がしづらかったり、不衛生になり易いといった問題があった。また、防水パン２は洗面所などに設置され、この張り出し部分が洗面所の有効面積を狭める結果となり、日常の家事などで防水パン２の外周壁３につまづいて転倒するといった家庭内転倒の危険性が潜んでいた。さらに、防水パン２の張り出し部分は美観上からも好ましいものではなかった。
【０００７】
一方、図７の洗面ユニットの例では、洗濯機１の前面にホースジョイント５ｃを塞ぐトラップカバー５ｄが設けられ、トラップカバー５ｄは床面に面一に配置されており、眼に付き易い場所でもあり、床面に切り込みが設けられることになり美観上問題があり、また出入りが頻繁なスペースでもあり、トラップカバー５ｄが外れて足を踏み外し転倒するといった危険も潜んでおり、必ずしも好ましいものではなかった。
【０００８】
本発明は、上述のような課題に鑑みなされたものであり、洗濯機の排水ホースを収納することができ、意匠性に優れ、足下の安全性が改善され、清掃が容易となる洗濯機用防水パンを提供することを目的とするものである。
【課題を解決するための手段】
【０００９】
本発明は、上記課題を解決したものであり、請求項１の発明は、洗濯機を載置し、該洗濯機の排水を外部に排水するための排水トラップを備える洗濯機用防水パンにおいて、防水パン本体の洗濯機載置面を概ね床面上とし、該防水パン本体に床面より低い底部を有する凹陥部が設けられ、該凹陥部の底部に排水トラップ取り付け部分を有する排水口が設けられ、該凹陥部を洗濯機の幅方向に幅広としてなることを特徴とする洗濯機用防水パンである。
【００１０】
また、請求項２の発明は、前記洗濯機載置面の周縁を、立ち上がる側壁を設けることなく、床面と同一面から湾曲して該洗濯機載置面の厚みより僅かに厚い縁部としたことを特徴とする請求項１に記載の洗濯機用防水パンである。
【００１１】
また、請求項３の発明は、前記排水口の接続部が概ね水平方向に向う開口端を有し、前記凹陥部内に収納されていることを特徴とする請求項１又は２に記載の洗濯機用防水パンである。
【００１２】
また、請求項４の発明は、前記凹陥部の開口を塞ぐ収納蓋が設けられ、該収納蓋に漏水排水孔及び洗濯機の排水ホースの挿通孔が設けられていることを特徴とする請求項１，２又は３に記載の洗濯機用防水パンである。
【発明の効果】
【００１３】
請求項１の発明では、洗濯機を載置し、該洗濯機の排水を外部に排水するための排水トラップを備える洗濯機用防水パンにおいて、防水パン本体の洗濯機載置面を概ね床面上とし、該防水パン本体に床面より低い底部を有する凹陥部が設けられ、該凹陥部の底部に排水トラップ取り付け部分を有する排水口が設けられ、該凹陥部を洗濯機の幅方向に幅広としてなることを特徴とする洗濯機用防水パンであるので、排水ホースを洗濯機の側面から洗濯機の底部分に通して凹陥部に這わせて収納し、排水ホースの先端部を凹陥部内に設けられた排水口の接続部に装着することができ、排水ホースが凹陥部に収納されて外部に見苦しく露呈することがなく、意匠的にも優れたものとなり、洗濯機載置面と縁部が概ね床面と略等しいので、清掃も容易なものとなる利点がある。また、防水パン本体に幅広の凹陥部が設けられ、凹陥部内に排水口が設けられ、排水ホースが凹陥部内に収納されているので、仮に排水ホースが排水口の接続部から外れたとしても排水を凹陥部で受けて排水口から排出することができ、排水が床面に流れ出る危険性を回避することができる。
【００１４】
また、請求項２の発明では、前記洗濯機載置面の周縁を、立ち上がる側壁を設けることなく、床面と同一面から湾曲して該洗濯機載置面の厚みより僅かに厚い縁部としたことを特徴とする請求項１に記載の洗濯機用防水パンであるので、縁部が防水パン本体を補強し支持可能な厚みがあればよく、床面から立ち上がった外周壁を設ける必要がなくなり、外周壁につまずいて転倒するといった危険性を回避することができ、安全性が増す利点がある。また、洗濯機の脚部が防水パン本体の載置面に接触すればよく、防水パン本体の面積を可能な限り狭くすることができ、洗濯機を防水パン本体に載置した際にスッキリとしたものとなり、意匠性が向上し、室内空間のデザイン性が向上するとともに、糸屑などの塵芥が付着するスペースを少なくすることができるし、平坦な構造となり清掃が容易となる利点がある。
【００１５】
また、請求項３の発明では、前記排水口の接続部が概ね水平方向に向う開口端を有し、前記凹陥部内に収納されていることを特徴とする請求項１又は２に記載の洗濯機用防水パンであるので、接続部の開口端に排水ホースの先端部を差し込み、排水ホースが凹嵌部内に収まり、従来のように、排水ホースの取付部分が垂直に立ち上がって屈曲することがなく、かつ排水ホースが接続部から外れたとしても排水ホースが凹陥部内に収まっており、排水が漏れ出し床面に流れ出る危険性を回避することができる。
【００１６】
また、請求項４の発明では、前記凹陥部の開口を塞ぐ収納蓋が設けられ、該収納蓋に漏水排水孔及び洗濯機の排水ホースの挿通孔が設けられていることを特徴とする請求項１，２又は３に記載の洗濯機用防水パンであるので、排水ホースが収納された凹陥部の開口が収納蓋で塞がれ、凹陥部内及び排水ホースに飛散した埃や糸屑といった塵芥が付着するのを解消することができ、清掃が容易となる利点がある。また、漏水があったとしても僅かに突出した縁部で囲まれた洗濯機載置面に洗濯水が流れて、収納蓋の漏水排水孔から凹陥部内に流れ込み、漏れ出した排水が床面に流れ出るのを回避することができる。また、洗濯機載置面は凹陥部に傾斜する水勾配を設けてもよい。
【発明を実施するための最良の形態】
【００１７】
以下、本発明の洗濯機用防水パンに係る実施の形態について説明する。なお、図１は本実施形態の洗濯機用防水パンに洗濯機を載置した斜視図であり、図２は本実施形態の斜視図であり、図３は本実施形態の平面図である。図４は図３のＡ−Ａ断面図であり、図５は図３のＢ−Ｂ断面図であり、本実施形態を床面に設置した例を示している。
【００１８】
本実施形態の洗濯機用防水パンは、図１に示すように、洗面所６或いは洗面ユニットなどに設置される。洗濯機用防水パン１０は洗濯機１を載置する洗濯機載置面１２が設けられ、洗濯機１から洗濯水を排水する排水トラップが設けられ、洗濯機１から排水される泡や排出された泡により逆流した排水、或いは洗濯機用給水栓からの水の滴り、さらには洗濯機の洗濯物から脱水槽への移動時に発生する水が床面に流れ出ないようにする機能を有する。洗濯機用防水パン１０の防水パン本体１１は、洗濯機載置面１２とその周縁に、床面から立ち上がることのない、縁部１３が設けられ、洗濯機載置面１２の中央部には洗濯機載置面１２より下方に突出する凹陥部１４が設けられている。凹陥部１４は洗濯機１の横幅方向に幅広とし、その底部１５には排水口１６が設けられている。洗濯機１の洗濯槽１ｂに接続された排水ホース１ａは、洗濯槽１ｂの底部から引き出されて凹陥部１４に這わされ収納され、排水ホース１ａの先端部が排水口１６に接続される。なお、排水ホース１ａは洗濯槽１ｂ底部から凹陥部１４に這わせて収納してもよい。
【００１９】
続いて、本実施形態について、図１〜図５を参照して詳細に説明する。防水パン本体１１は、その材質が熱硬化性プラスチック製、熱可塑性プラスチック製、或いは再生プラスチック製であり、洗濯機載置面１２は、床面と略等しくその周囲に水返しとして縁部１３が設けられ、縁部１３の厚みは洗濯機載置面１２の厚みより僅かに肉厚であり、この縁部１３により防水パン本体１１の強度を保たれる効果がある。縁部１３の厚みは、樹脂の材質にも依存するが概ね１ｃｍ程度であり、縁部１３の形状は床面より湾曲した肉部であり、外周ほど薄くしたテーパー形状であって、縁部１３の内側が段差部となって洗濯機載置面１２となっており、縁部１３の段差部が水返しの機能を備えている。このように縁部１３が外周ほど薄肉としたテーパー形状であるので、洗濯機１が設置された洗面所での日常事や家事等で、防水パン本体１１の縁部１３につまずいたりして転倒したりといった家庭内転倒を防止することができる。また、洗濯機載置面１２は、洗濯機１の脚部１ｃが載置できる平坦面を有すればよく、洗濯機載置面１２の奥行きを狭くすることが可能であり、防水パン本体１１自体を小型化することができる。洗面所の有効面積を拡げ、洗濯機１を操作する際に足下に張り出した立ち上がる側壁がなくなることから、防水パン本体１１の側縁につまずいて転倒する危険性を軽減することができる。
【００２０】
防水パン本体１１に設けられた凹陥部１４は、洗濯機載置面１２から下方に突出し、略長四角形の箱状であり、図４，図５に示したように、床面２０の設けられた開口２１内に収納される。また、図５に示したように、凹陥部１４の奥行きは排水口１６が設けられ、かつ排水トラップ１８の装着が可能な幅を有すればよく、また、凹陥部１４の横幅は排水ホース１ａが概ね収納できるものであればよい。さらに、洗濯機１の洗濯槽１ｂから仮に漏水が発生して洗濯機載置面１２に流れ落ちたとしても洗濯機載置面１２の周囲の縁部１３が洗濯機載置面１２より僅かに高く段差部があり、段差部が水返しとなって床面に流れ出ることなく、洗濯水は凹陥部１４に流れ込む。凹陥部１４内の排水口１６には排水取付部１６ａが設けられ、排水取付部１６ａに排水ホース１ａの先端部が差し込まれ、排水口１６の排水取付部周囲には開口部が設けられ、水漏れが発生した場合、この開口部から排水される。
【００２１】
なお、洗濯機載置面１２は洗濯水が流れ落ちた際に洗濯水が凹陥部１４に流れ込み易いように水勾配を設けてもよいし、洗濯機載置面１２には凹陥部１４に向かう凸条部を放射状に多数設けてもよい。洗濯槽１ｂ等からの漏水を放射状の凸条部に沿って凹陥部１４に導くようにしてもよい（図示なし）。また、この凸条部の高さは、つまずきの要因にならない位置に設けられるので、縁部１３の高さより高くしてもよい。また、この凸条部は洗濯機載置面１２の強度を高めるのにも効果的である。清掃を容易なものとするために、凸条部の上部は緩慢な湾曲するとよい。
【００２２】
また、排水口１６の排水取付部１６ａは、排水口１６の開口部に接続されて垂直方向に立ち上がり屈曲し、僅かに上側に向かうが、概ね水平方向に開口端が突出し、凹陥部１４内に収まっている。排水口１６の排水取付部１６ａの他開口端には排水トラップ１８が設けられ、排水トラップ１８に排水管１９が接続されている（図４，図５参照）。排水口１６の位置は、凹陥部１４内底部の左右何れの位置であってもよい。
【００２３】
一方、凹陥部１４には、その開口部を塞ぐ収納蓋１７を設けても良い。収納蓋１７には排水ホース１ａが挿通可能な挿通孔１７ａが設けられているとともに、漏れ出した洗濯水が凹陥部１４内に流れ込む漏水排水孔１７ｂが複数個設けられている。このような収納蓋１７を設けることにより、糸屑や埃などの塵芥が付着したとしても排水ホース１ａの大半が収納蓋１７で覆われるので、一層清掃が容易になる利点がある。なお、排水ホース１ａは図１のように排水槽１ｂの底部から直接凹陥部１４内に這わせて収納することもでき、排水ホース１ａが外観からは視認することができないので、清掃が容易であるとともに、美観が良好なものとなる。また、洗濯機１側部から排水ホース１ａを引き出したとしても大半が凹陥部１４内に収納され、清掃が容易であるとともに、美観が良好なものとなる。
【００２４】
洗濯機用防水パン１０は、図４，図５に示したように、洗面所等の床面２０に設けられた開口部２１に凹陥部１４を挿入し、防水パン本体１１の四隅に設けられた貫通孔１１ａにネジを床面に螺合させて固定して取り付けられる。洗濯機１は、防水パン本体１１の床面２０上の洗濯機載置面１２に載置される。洗濯機１の脚部１ｃが洗濯機載置面１２にあればよく、洗濯機１のサイズに合わせて洗濯機用防水パン１０の幅及び奥行きの寸法を選択して設置することが可能であり、洗面所等の床面２０の有効面積を拡げることができるとともに、洗濯機用防水パン１０から不必要な張り出し部が無くなり、スッキリとした外観となり、デザイン性に優れた洗濯機用防水パンとすることできる。
【００２５】
さらにまた、洗濯機用防水パン１０の凹嵌部１４は、図３に点線で示したように、横幅方向に一杯に開口した凹嵌部１４ａとしてもよいし、或いは洗濯機１の載置位置は、右寄りに載置してもよい。また、洗濯機１は排水口１６を覆うように載置してもよく、排水口１６を覆うように載置した場合、凹嵌部１４を収納蓋１７が覆っていれば清掃が一層容易なものとなる。
【産業上の利用可能性】
【００２６】
本発明の活用例としては、洗濯機を載置する洗濯機用防水パンであり、マンション或いは一戸建住宅など洗面所や洗面ユニットに設置される。
【図面の簡単な説明】
【００２７】
【図１】本発明に係る洗濯機用防水パンの一実施形態の設置例を示す斜視図であり、
【図２】本実施形態の斜視図である。
【図３】本実施形態の平面図である。
【図４】図３のＡ−Ａ断面図である。
【図５】図３のＢ−Ｂ断面図である。
【図６】従来の洗濯機用防水パンが設置された洗面所の斜視図である。
【図７】従来の洗濯機用防水パンが設置された洗面所ユニットの斜視図である。
【符号の説明】
【００２８】
１  洗濯機
１ａ  排水ホース
１ｂ  洗濯槽
１ｃ  脚部
６  洗面所
１０  洗濯機用防水パン
１１  防水パン本体
１２  洗濯機載置面
１３  縁部
１４  凹嵌部
１５  底部
１６  排水口
１６ａ  排水取付部
１７  収納蓋
１７ａ  挿通孔
１７ｂ  漏水排水孔
１８  排水トラップ
１９  排水管
２０  床面
２１  開口
【図１】
2006249823.tif 000003
【図２】
2006249823.tif 000004
【図３】
2006249823.tif 000005
【図４】
2006249823.tif 000006
【図５】
2006249823.tif 000007
【図６】
2006249823.tif 000008
【図７】
2006249823.tif 000009